(57)【要約】      （修正有）【課題】ブラシソケット、シャントホルダ、多孔導水コア及び二重蓋部材の再利用を実現する化粧料容器を実現する。【解決手段】化粧料容器は、スリーブ状のブラシソケット１と、塗付チップ部材と、二重蓋部材３とを備える。塗付チップ部材はブラシソケット１の先端側に固定され、シャントホルダ、多孔導水コア及び多孔チップを含み、ブラシソケット１の後開口端に連結部材４が設けられ、連結部材４はブラシソケット１の後端とシャントホルダの後端との間に第一化粧料貯蔵部を形成し、多孔導水コアはシャントホルダに配置され、多孔導水コアの後端は第一化粧料貯蔵部に突出する。また、第二化粧料貯蔵部を形成する少なくとも二つのボトル体６が設けられ、ブラシソケット１の後端部外周に着脱可能に固定できる。化粧料容器は、取り外し可能なボトル体６の設置によって、ボトル体置換品１０を設けることで、再利用を実現する。【選択図】図２
0003221020.tif 000002
【実用新案登録請求の範囲】
【請求項１】
スリーブ状のブラシソケット（１）と、塗付チップ部材（２）と、二重蓋部材（３）とを含む交換可能な化粧料容器であって、
前記ブラシソケットは前開口端（１１）と後開口端（１２）とを有し、
前記塗付チップ部材は前記ブラシソケットの先端側に固定され、
前記二重蓋部材は前記ブラシソケットの前開口端の外周面に着脱可能に嵌合され、
前記塗付チップ部材は、外周面に複数の環状溝が設けられるシャントホルダ（２１）と、前記シャントホルダの軸方向孔に挿入可能で前記環状溝の一部に連通する多孔導水コア（２２）と、前記多孔導水コアの先端に接続され、前記シャントホルダの先端にある挿口に挿入される多孔チップ（２３）とを含み、
前記ブラシソケットの後開口端に連結部材（４）が設けられ、前記連結部材は前記ブラシソケットの後端と前記シャントホルダの後端との間に第１化粧料貯蔵部（５）を形成し、前記多孔導水コアは前記シャントホルダに配置され、前記多孔導水コアの後端は前記第１化粧料貯蔵部に突出し、
第２化粧料貯蔵部（６１）を形成する少なくとも二つのボトル体（６）が設けられ、前記ボトル体は前記ブラシソケットの後端部外周に着脱可能に固定でき、供給口（４１）が、前記連結部材の後端部に設けられ、前記ボトル体の前記第２化粧料貯蔵部に連通する、
交換可能な化粧料容器。
【請求項２】
前記連結部材の中央部外側に凸リブが形成され、前記凸リブの前側にある前記連結部材の外周面はねじ山で前記ブラシソケット内に嵌合され、前記連結部材の前端面は前記シャントホルダの後端面に当接する、
請求項１に記載の交換可能な化粧料容器。
【請求項３】
前記二重蓋部材は、外蓋(３１)、内蓋(３２)及び圧縮コイルバネ(３３)を有し、前記内蓋は前記外蓋内に配置され、前記圧縮コイルバネによって外向きに付勢される、
請求項１に記載の交換可能な化粧料容器。
【請求項４】
前記ボトル体の開口端にスチールボール(６３)が設けられ、前記ボトル体の後端に栓(６２)が設けられる、
請求項１に記載の交換可能な化粧料容器。
【請求項５】
前記ボトル体と前記シャントホルダとはねじ山で着脱可能に連結される、
請求項１に記載の交換可能な化粧料容器。
【請求項６】
前記多孔チップ（２３）の外側にブラシ毛(２４)とブラシカバー(２５)は順に設けられる、
請求項１に記載の交換可能な化粧料容器。
【考案の詳細な説明】
【技術分野】
【０００１】
本考案は、アイライナー液などの化粧料を顔の一部に塗付できる交換可能な化粧料容器に関する。
【背景技術】
【０００２】
経済の発展と人々の生活水準の向上に伴い、人々はますます自分のイメージと健康を重視し始め、特に女性が化粧品を使う確率と頻度もますます高くなっているが、現在女性のよく使うマスカラブラシ、アイライナー、リップブラシなどの化粧品は使い捨てで、化粧品の材料液がなくなったら捨てられ、再利用できないので、資源の浪費だけでなく、女性の化粧品費用の経済的負担も増加する。
【考案の概要】
【考案が解決しようとする課題】
【０００３】
このような欠点を克服するために、本考案は、化粧料液を使い切った後、置換品に交換できる交換可能な化粧料容器を提供し、資料の無駄と使用者の経済的負担を減らす。
【課題を解決するための手段】
【０００４】
その技術的課題を解決するために採用する技術的手段として、本考案の交換可能な化粧料容器は、スリーブ状のブラシソケットと、塗付チップ部材と、二重蓋部材とを含み、
前記ブラシソケットは前開口端と後開口端とを有し、
前記塗付チップ部材は前記ブラシソケットの先端側に固定され、
前記二重蓋部材は前記ブラシソケットの前開口端の外周面に着脱可能に嵌合され、
前記塗付チップ部材は外周面に複数の環状溝が設けられるシャントホルダと、前記シャントホルダの軸方向孔に挿入可能で前記環状溝の一部に連通する多孔導水コアと、前記多孔導水コアの先端に接続され、前記シャントホルダの先端にある挿口に挿入される多孔チップとを含み、
前記ブラシソケットの後開口端に連結部材が設けられ、前記連結部材は前記ブラシソケットの後端と前記シャントホルダの後端との間に第１化粧料貯蔵部を形成し、前記多孔導水コアは前記シャントホルダに配置され、前記多孔導水コアの後端は前記第１化粧料貯蔵部に突出し、
第２化粧料貯蔵部を形成する少なくとも二つのボトル体が設けられ、前記ボトル体は前記ブラシソケットの後端部外周に着脱可能に固定でき、供給口が、前記連結部材の後端部に設けられ、ボトル体の第２化粧料貯蔵部に連通する。
【０００５】
本考案の更なる改良として、前記連結部材の中央部外側に凸リブが形成され、前記凸リブの前側にある前記連結部材の外周面はねじ山で前記ブラシソケット内に嵌合され、前記連結部材の前端面は前記シャントホルダの後端面に当接する。
【０００６】
本考案の更なる改良として、前記二重蓋部材は、外蓋、内蓋及び圧縮コイルバネを有し、前記内蓋は前記外蓋内に配置され、前記圧縮コイルバネによって外向きに付勢される。二重蓋部材をスリーブ状保持具に結合すると、内蓋がスリーブ状保持具の先端の外周面に線形的に接触し、シールが形成される。
【０００７】
本考案の更なる改良として、前記ボトル体の開口端にスチールボールが設けられ、前記ボトル体の後端に栓が設けられる。ボトル体がブラシソケットの後端に組み込まれると、供給口からスチールボールがボトル体に落ちる。
【０００８】
本考案の更なる改良として、前記ボトル体と前記シャントホルダとはねじ山で着脱可能に連結される。
【０００９】
本考案の更なる改良として、前記多孔チップの外側にブラシ毛とブラシカバーは順に設けられる。
【考案の効果】
【００１０】
本考案の有益な効果は、この交換可能な化粧料容器はボトル体の取り外し可能な設置で、ボトル体の置換品によって、ブラシソケット、シャントホルダ、多孔導水コアと二重蓋部材の再利用を実現し、合理的に資源を利用し、資源の浪費を減らし、利用者に経済的負担を大幅に軽減したことである。
【図面の簡単な説明】
【００１１】
【図１】本考案構造の模式図である。
【図２】本考案の使用状態構造の模式図である。
【考案を実施するための形態】
【００１２】
以下、添付図面を参照して、本考案の好ましい実施例を詳細に説明する。しかし、本考案の保護範囲は以下の実施例に限定されない。本考案の出願の範囲及び明細書の内容でなされた簡単な等価変化である等価的な変化と修飾は、いずれも本考案の範囲内である。
【００１３】
図１と図２を参照すると、本考案の交換可能な化粧料容器は、スリーブ状のブラシソケット１と、塗付チップ部材２と、二重蓋部材３とを含み、ブラシソケットは前開口端１１と後開口端１２とを有し、塗付チップ部材はブラシソケットの先端側に固定され、二重蓋部材はブラシソケットの前開口端の外周面に着脱可能に嵌合され、塗付チップ部材は外周面に複数の環状溝が設けられるシャントホルダ２１と、シャントホルダの軸方向孔に挿入可能で前記の環状溝の一部に連通する多孔導水コア２２と、多孔導水コアの先端に接続され、シャントホルダの先端にある挿口に挿入される多孔チップ２３とを含み、ブラシソケットの後開口端に連結部材４が設けられ、連結部材はブラシソケットの後端とシャントホルダの後端との間に第１化粧料貯蔵部５を形成し、多孔導水コアはシャントホルダに配置され、多孔導水コアの後端は第１化粧料貯蔵部に突出する。
【００１４】
製品が長期的に立って放置された後、液体材料が重力のために下に流れ、多孔導水コアと接触できないため、導水コアとブラシが乾燥し使えないようになる。また、消費者が化粧する場合、メイクアップペンの形は、その先端が上向き、本体が下向きなので、液体材料は重力によって下向きに流れ、多孔導水コアと接触できなくなり、使用時に断線や色の変化(浅い線)などが発生する。このような問題に対して、本考案は化粧料貯蔵部を設置することで、消費者は任意の角度でメイクアップペンを使用する時に、塗料と多孔導水コアが接触することを保証し、画線に断線や色の変化(浅い線)が発生しない。
【００１５】
また、第２化粧料貯蔵部６１を形成する少なくとも二つのボトル体６が設けられ、該ボトル体は前記ブラシソケットの後端部外周に着脱可能に固定でき、供給口４１が、連結部材の後端部に設けられ、ボトル体の第２化粧料貯蔵部に連通する。
【００１６】
本考案において、連結部材の中央部外側に凸リブが形成され、凸リブの前側にある連結部材の外周面はねじ山でブラシソケット内に嵌合され、連結部材の前端面はシャントホルダの後端面に当接する。二重蓋部材は、外蓋、内蓋及び圧縮コイルバネを有し、内蓋は外蓋内に配置され、圧縮コイルバネによって外向きに付勢される。二重蓋部材をスリーブ状保持具に結合すると、内蓋がスリーブ状保持具の先端の外周面に線形的に接触し、シールが形成される。ボトル体の開口端にスチールボール６３が設けられ、ボトル体の後端に栓６２が設けられる。ボトル体６がブラシソケットの後端に組み込まれると、供給口４１からスチールボールが押されてボトル体に落ちる。ボトル体とシャントホルダとはねじ山で着脱可能に連結される。多孔チップ２３の外側にブラシ毛２４とブラシカバー２５は順に設けられる。
【００１７】
この交換可能な化粧品容器は、一つのボトル体をシャントホルダに取り付ける場合、通常の化粧料容器として使用できる。図１を参照すると、他のボトル体置換品１０は、化粧料を密封シールで密封し用意される。交換可能な化粧料容器に取り付けられたボトル体の化粧料を使い切った後、ボトル体を外して、予備のボトル体置換品のシールを外して、シャントホルダに取り付けて使用を開始できる。
【００１８】
このように、この交換可能な化粧料容器は、ボトル体の取り外し可能な設置で、ボトル体置換品を用意することで、ブラシソケット、シャントホルダ、多孔導水コアと二重蓋部材の再利用を実現し、合理的に資源を利用し、資源の浪費を減らし、利用者に経済的負担を大幅に軽減した。
【符号の説明】
【００１９】
１  ブラシソケット
２  塗付チップ部材
３  二重蓋部材
４  連結部材
５  第１化粧料貯蔵部
６  ボトル体
１１  前開口端
１２  後開口端
２１  シャントホルダ
２２  多孔導水コア
２３  多孔導水コア
３１  外蓋
３２  内蓋
３３  圧縮コイルバネ
４１  供給口
６１  第２化粧料貯蔵部
６２  栓
６３  スチールボール
２４  ブラシ毛
２５  ブラシカバー
１０  ボトル体置換品
【図１】
0003221020.tif 000003
【図２】
0003221020.tif 000004